(57)【要約】【課題】照射部を共有し、各々が発光領域を有する複数の操作部材が立体的に配置される場合には、視認性良く発光領域を発光させることが困難であった。【解決手段】操作ユニットは、照射部と、第１端部から、第２端部の少なくとも一部を成す第１発光領域へ照射部の光を導く第１導光路を有する第１操作部材と、第１導光路に隣接した第３端部から、第４端部の少なくとも一部を成す第２発光領域へ第１導光路の一部を通過した照射部の光を導く第２導光路を有する第２操作部材とを備える。【選択図】図５
2013134359.tif 000002
【特許請求の範囲】
【請求項１】
照射部と、
第１端部から、第２端部の少なくとも一部を成す第１発光領域へ前記照射部の光を導く第１導光路を有する第１操作部材と、
前記第１導光路に隣接した第３端部から、第４端部の少なくとも一部を成す第２発光領域へ前記第１導光路の一部を通過した前記照射部の光を導く第２導光路を有する第２操作部材と
を備える操作ユニット。
【請求項２】
前記第１導光路は、前記第２導光路から放射された光を入射させる入射面を通過する光路を有する請求項１に記載の操作ユニット。
【請求項３】
前記第１導光路は、第２端部を含む天頂部と、前記天頂部に接続された軸部とを有し、
前記入射面は、前記天頂部において、前記軸部との接続部分の周囲を成す、前記第２端部とは反対の面の少なくとも一部である請求項２に記載の操作ユニット。
【請求項４】
前記入射面は凹面である請求項３に記載の操作ユニット。
【請求項５】
前記第１導光路の透過率は、前記第２導光路の透過率よりも小さい請求項１から４のいずれか１項に記載の操作ユニット。
【請求項６】
前記第１操作部材は、前記第１端部と前記第２端部を結ぶ押圧軸の方向に沿って押圧される押しボタンである請求項１から５のいずれか１項に記載の操作ユニット。
【請求項７】
前記第２操作部材は、前記押圧軸を中心軸として回転する回転レバーである請求項６に記載の操作ユニット。
【請求項８】
前記回転レバーと共に回転し、前記回転レバーの回転位置を検出するための台座を備え、
前記台座は、前記照射部の光を前記第２導光路へ導く第３導光路を有する請求項７に記載の操作ユニット。
【請求項９】
前記押しボタンの回転を抑制する受け軸部を備え、
前記受け軸部は、前記照射部の光を前記第１導光路と前記第２導光路の少なくともいずれかに導く第４導光路を有する請求項６から８のいずれか１項に記載の操作ユニット。
【請求項１０】
発光部と
前記発光部の光を導光する可撓部材と
を備え、
前記照射部は、前記可撓部材に設けられた散乱部である請求項１から９のいずれか１項に記載の操作ユニット。
【請求項１１】
前記可撓部材は複数の前記散乱部を有し、前記第１操作部材および前記第２操作部材以外の他の操作部材の発光領域へも前記発光部の光を導く請求項１０に記載の操作ユニット。
【請求項１２】
前記第１発光領域および前記第２発光領域への光を発光する前記発光部と、前記他の操作部材の前記発光領域への光を発光する前記発光部とをそれぞれ備え、
前記可撓部材は、それぞれの前記発光部の光が互いに混ざらないための分離部を有する請求項１１に記載の操作ユニット。
【請求項１３】
請求項１から１２のいずれか１項に記載の操作ユニットを備える電子機器。
【請求項１４】
周辺環境の照度を検出する検出部と、
発光面を発光させる発光部を有する操作部材と、
表示面を照明する照明部を有する反射型表示パネルと、
前記検出部が第１照度よりも暗い照度を検出した場合には前記発光部を発光させると共に、前記検出部が前記第１照度とは異なる第２照度よりも暗い照度を検出した場合には前記照明部を点灯させる発光制御部と
を備える表示ユニット。
【請求項１５】
前記発光制御部は、前記検出部がより暗い照度を検出するほど、前記発光部の発光輝度および前記照明部の照明輝度を漸増させる請求項１４に記載の表示ユニット。
【請求項１６】
前記発光制御部は、前記検出部が第３照度よりも暗い照度を検出した場合に、前記発光輝度と前記照明輝度を一致させる請求項１５に記載の表示ユニット。
【請求項１７】
バックライトを有する透過型表示パネルを備え、
前記発光制御部は、前記検出部が第４照度よりもより暗い照度を検出するほど、前記バックライトの放光輝度を漸減させる請求項１５または１６に記載の表示ユニット。
【請求項１８】
発光指示部材を備え、
前記発光制御部は、前記発光指示部材が操作された場合に、前記検出部の検出結果に基づいて、少なくとも前記発光部を発光させ、前記照明部を点灯させる請求項１４から１７のいずれか１項に記載の表示ユニット。
【請求項１９】
前記発光制御部は、前記発光指示部材が、予め定められた態様により操作された場合に、前記検出部の検出結果に関わらず、前記発光部を発光させ、前記照明部を点灯させる請求項１８に記載の表示ユニット。
【請求項２０】
前記発光制御部は、いずれの対象を同時に制御するかにより、閾値となる検出照度および輝度変化の少なくとも一方を変更する請求項１４から１９のいずれか１項に記載の表示ユニット。
【請求項２１】
前記操作部材は、請求項１から請求項１１のいずれか１項に記載の操作ユニットであり、
前記第１発光領域および前記第２発光領域は、前記発光面である請求項１４から２０のいずれか１項に記載の表示ユニット。
【請求項２２】
請求項１４から２１のいずれか１項に記載の表示ユニットを備える電子機器。
【請求項２３】
発光面を発光させる発光部を有する操作部材と、表示面を照明する照明部を有する反射型表示パネルとを含む表示ユニットの制御プログラムであって、
周辺環境の照度を検出する検出ステップと、
前記検出ステップが第１照度よりも暗い照度を検出した場合には前記発光部を発光させると共に、前記検出ステップが前記第１照度とは異なる第２照度よりも暗い照度を検出した場合には前記照明部を点灯させる発光制御ステップと
をコンピュータに実行させる表示ユニットの制御プログラム。
【発明の詳細な説明】
【技術分野】
【０００１】
本発明は、操作ユニット、表示ユニット、電子機器および表示ユニットの制御プログラムに関する。
【背景技術】
【０００２】
夜間など周辺環境が暗い状況において、ユーザによる電子機器の操作を補助する照明機構が種々提案されている。例えば、特許文献１では、ボタンを照明するための導光シートを備えた照明装置が開示されている。
［先行技術文献］
［特許文献］
［特許文献１］  特開２００９−８６４３６号公報
【発明の概要】
【発明が解決しようとする課題】
【０００３】
しかしながら、照射部を共有し、各々が発光領域を有する複数の操作部材が立体的に配置される場合には、視認性良く発光領域を発光させることが困難であった。
【課題を解決するための手段】
【０００４】
本発明の第１の態様における操作ユニットは、照射部と、第１端部から、第２端部の少なくとも一部を成す第１発光領域へ照射部の光を導く第１導光路を有する第１操作部材と、第１導光路に隣接した第３端部から、第４端部の少なくとも一部を成す第２発光領域へ第１導光路の一部を通過した照射部の光を導く第２導光路を有する第２操作部材とを備える。本発明の第２の態様における電子機器は、上記の操作ユニットを備える。
【０００５】
本発明の第３の態様における表示ユニットは、周辺環境の照度を検出する検出部と、発光面を発光させる発光部を有する操作部材と、表示面を照明する照明部を有する反射型表示パネルと、検出部が第１照度よりも暗い照度を検出した場合には発光部を発光させると共に、検出部が第１照度とは異なる第２照度よりも暗い照度を検出した場合には照明部を点灯させる発光制御部とを備える。本発明の第４の態様における電子機器は、上記の表示ユニットを備える。
【０００６】
本発明の第５の態様における表示ユニットの制御プログラムは、発光面を発光させる発光部を有する操作部材と、表示面を照明する照明部を有する反射型表示パネルとを含む表示ユニットの制御プログラムであって、周辺環境の照度を検出する検出ステップと、検出ステップが第１照度よりも暗い照度を検出した場合には発光部を発光させると共に、検出ステップが第１照度とは異なる第２照度よりも暗い照度を検出した場合には照明部を点灯させる発光制御ステップとをコンピュータに実行させる。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】本実施形態に係る操作ユニットを備えた一眼レフカメラの背面斜視図である。
【図２】操作ユニット周りの分解斜視図である。
【図３】中央ボタン近傍の断面図である。
【図４】中央ボタンの発光面を発光させる光の導光路を説明する図である。
【図５】回転レバー発光部を発光させる光の導光路を説明する図である。
【図６】一眼レフカメラのシステム構成図である。
【図７】周辺照度に対する発光輝度制御を説明する図である。
【図８】輝度制御を説明するフロー図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態に係る操作ユニットを備えた一眼レフカメラ９０の背面斜視図である。特に、カメラ本体１０の背面に位置し、本実施形態に係る操作ユニットが組み込まれたカバー１１を詳細に示し、その他の概略形状を点線で示す。一眼レフカメラ９０は、カメラ本体１０に交換レンズ５０が装着されてカメラとしての機能を発揮する。なお、本実施形態においては、本実施形態に係る操作ユニットが組み込まれる電子機器として撮像装置としてのカメラ本体１０あるいは一眼レフカメラ９０を例に説明するが、電子機器としての例は撮像装置に限らない。本実施形態に係る操作ユニットは、携帯電話などの携帯機器等、暗所において使用され得る電子機器に組み込まれて、その利便性を発揮する。
【００１１】
カバー１１には、種々の操作部材が組み付けられている。操作部材としては、本実施形態の操作ユニットに係る中央ボタン１２、回転レバー１３および発光ボタン２２と、縦一列に配列された発光ボタン２３と、発光指示レバー２８とを含む。
【００１２】
中央ボタン１２は、押しボタンであり、ユーザに押圧される操作面が発光する構造を有する。操作面は、白色塗装されて全体が発光する態様であっても良いし、白色塗装に重ねて黒色塗装が施され、レーザ等によって黒色塗装が除去されて形成された文字、アイコン等の指標が部分的に発光する態様であっても良い。
【００１３】
回転レバー１３は、中央ボタン１２と同軸に配置され、中央ボタン１２の押圧軸を中心軸として一定角度で回転して両端のいずれかに静定する。回転レバー１３は、中央ボタン１２の操作面と同時に視認できる位置に回転レバー発光部１３ａを有する。回転レバー発光部１３ａは、回転レバー１３がいずれのポジションに静定しているかを示す指示指標の役割を担い、暗所において発光するように構成されている。カバー１１には、回転レバー発光部１３ａが位置しうる２つのポジションに対応して、例えば、動画アイコン１１ａと静止画アイコン１１ｂが印刷されている。ユーザは、回転レバー１３を回転させて、動画アイコン１１ａの位置に回転レバー発光部１３ａを合わせれば動画撮影モードを選択でき、静止画アイコン１１ｂの位置に回転レバー発光部１３ａを合わせれば静止画撮影モードを選択できる。
【００１４】
発光ボタン２２は、横一列に配列された押しボタンである。発光ボタン２２は、中央ボタン１２の操作面と同様に、操作面が発光する構造を有する。発光ボタン２２は、例えば、撮影時に設定される項目に関する操作部材である。
【００１５】
発光ボタン２３も、発光ボタン２２と同様に、操作面が発光する構造を有する。発光ボタン２３は、例えば、画像再生時に設定される項目に関する操作部材である。中央ボタン１２、回転レバー発光部１３ａ、発光ボタン２２、２３は、光源としていずれもＬＥＤが用いられ、周辺環境の照度に応じて発光面における輝度が制御される。
【００１６】
カバー１１には、周辺環境の照度に応じて発光面における輝度が制御される対象として更に、ＴＦＴ液晶表示部３０とＳＴＮ液晶表示部４０が配設されている。ＴＦＴ液晶表示部３０は、バックライトの点灯によって視認性が確保される透過型の液晶表示パネルである。ＴＦＴ液晶表示部３０は、ライブビュー画像、再生画像、メニュー項目等を表示する。ＳＴＮ液晶表示部４０は、明るい環境下においては照明光なしで視認できる反射型の表示パネルである。ＳＴＮ液晶表示部４０は、例えば、セグメント表示、ドットマトリックス表示により、シャッタ速度等の設定値を定常的に表示する。ただし、暗い環境下においては視認性が低下するので、暗所における視認性を確保すべく、バックライトを備えている。
【００１７】
周辺環境の照度は、照度センサ２９によって取得される。照度センサ２９は、カメラ本体１０を把持するユーザの手に隠される可能性が低い位置、例えば、突出した操作部材に対してグリップ側とは反対側に設置される。
【００１８】
発光指示レバー２８は、ユーザが操作部材の発光面、ＳＴＮ液晶表示部４０のバックライトを発光させるための操作部材である。発光指示レバー２８は、通常はＯＦＦ位置に付勢されており、ユーザが付勢力に抗してＯＮ位置まで回転させた場合に、発光指示を検出する。
【００１９】
次に、本実施形態に係る操作ユニットの構造について説明する。図２は、操作ユニット周りの分解斜視図である。カバー１１には、貫通孔１１ｃが設けられており、中央ボタン１２と回転レバー１３は、外面側から当該貫通孔１１ｃに挿通される。回転レバー１３は、ブラシ台座ビス２１により、内面側からブラシ台座１４に固定される。回転レバー１３とブラシ台座１４は、貫通孔１１ｃを介して外面側と内面側からカバー１１を挟み込み、一体となった回転摺動を実現する。
【００２０】
ブラシ２０は、ブラシ台座１４に固定され、回転レバー１３の回転に同期してフレキシブル基板１７の回路パターン１７ｃと接触摺動する。カメラ本体１０は、ブラシ２０と回路パターン１７ｃの接触状態により、回転レバー１３がいずれのポジションに静定しているかを検出できる。板バネ１９は、中央部に凸部を有して、カバー１１に固定されている。回転レバー１３が回転されると、ブラシ台座１４に設けられた凹部が板バネ１９の凸部を乗り越える。このとき、板バネ１９の抵抗力と、乗り越え時の回転速度の増加により、ユーザはクリック感を得る。
【００２１】
中央ボタン１２は、回転レバー１３の回転に追従しないように回転を抑制する、中央ボタン受軸１５により支持されている。中央ボタン受軸１５は、衝撃吸収ゴム１８と共にカバー１１に固定されている。衝撃吸収ゴム１８は、回転レバー１３の回転角を規制すると共に、回転に伴う衝撃を吸収できるように、ゴム材により形成されている。
【００２２】
フレキシブル基板１７は、回路パターンが形成されると共にいくつかの電子素子が実装された、可撓性を有する基板である。回路パターンとしては、発光ボタン２２のそれぞれに対応して設けられた回路パターン１７ｂと、ブラシ２０に摺動接触する回路パターン１７ｃとを有する。発光ボタン２２は、押圧されると回路パターン１７ｂを導通させる導電層を有する。
【００２３】
フレキシブル基板１７は、ドームスイッチ２６が実装されている。ドームスイッチ２６は、中央ボタン１２の直下に配置され、中央ボタン１２が押下されたときに変形して導通する。また、フレキシブル基板１７は、複数のＬＥＤ２５が実装されている。これら複数のＬＥＤ２５は、中央ボタン１２、回転レバー発光部１３ａおよび発光ボタン２２を発光させる光の光源である。
【００２４】
導光シート１６は、可撓性を有する、例えばシリコンゴムにより形成される光透過性シートである。導光シート１６は、フレキシブル基板１７に重ねて配置されるが、ＬＥＤ２５に対応する箇所には収容孔が設けられており、ＬＥＤ２５から照射される光を収容孔の壁面で受光するサイドライト方式が採用されている。収容孔は、カバー１１側への漏光を防ぐ漏光防止シート２４によって塞がれている。
【００２５】
導光シート１６は、収容孔壁面から入射された光を全反射させつつ内部にＬＥＤ２５の光を伝達させるが、発光部１６ｂおよび発光部１６ｃにおいてＬＥＤ２５の光をカバー１１側へ放射させる。具体的には、フレキシブル基板１７と接する面側に白色インクで反射ドットを印刷することにより、発光部１６ｂおよび発光部１６ｃを形成する。すなわち、発光部１６ｂおよび発光部１６ｃは、導光シート１６に設けられた散乱部であり、全反射角よりも小さな入射角で散乱部に入射した光は、散乱光となって導光シート１６の外部に放射される。したがって、発光部１６ｂは、発光ボタン２２にとっての照射部としての機能を発揮し、発光部１６ｃは、中央ボタン１２および回転レバー発光部１３ａにとっての照射部としての機能を発揮する。なお、発光部１６ｂおよび発光部１６ｃが照射部として機能する場合の光の放射量、輝度分布は、反射ドットの大きさ、密度、分布により調整される。
【００２６】
発光部１６ｂの中央部には環状の孔が設けられており、発光ボタン２２に設けられた導電層は、押圧時において当該孔を挿通して回路パターン１７ｂと接触する。発光部１６ｃには孔は設けられておらず、発光部１６ｃは、ドームスイッチ２６を覆っている。中央ボタン１２の押圧軸は、押圧時において発光部１６ｃと共にドームスイッチ２６を撓ませる。
【００２７】
導光シート１６は、分離孔１６ａを有する。分離孔１６は、発光部１６ｂを発光させる光と、発光部１６ｃを発光させる光とが互いに混ざらないための光分離部として機能する。これにより、それぞれの光源であるＬＥＤ２５を選択的に点灯すれば、発光ボタン２２と、中央ボタン１２および回転レバー発光部１３ａとを、独立して発光させることができる。なお、分離部は、孔に限らず、遮光部材を介入させる構成であっても良い。
【００２８】
次に、中央ボタン１２を中心とする断面構造について説明する。図３は、中央ボタン１２近傍の断面図である。
【００２９】
中央ボタン１２は、光透過性を有するアクリル樹脂等により形成されている。回転レバー１３は、光透過性を有するアクリル樹脂等により形成された第１樹脂部１３ｂと、光を通さない黒色樹脂等により形成された第２樹脂部１３ｃとから成り、二色成形により一体化されている。上述の回転レバー発光部１３ａは、第１樹脂部１３ｂの端面として形成される。また、ブラシ台座１４および中央ボタン受軸１５も、光透過性樹脂により形成されている。
【００３０】
上述のように、フレキシブル基板１７に実装されたＬＥＤ２５から放射された光は、収容孔壁面から導光シート１６の内部に入射し、発光部１６ｃにおいて中央ボタン１２の方向へ折り曲げられる。また、分離孔１６ａにより光の進行は妨げられる。
【００３１】
図４は、中央ボタン１２の発光面を発光させる光の導光路を説明する図である。中央ボタン１２は、図示するようにその断面がＴ字形状を成す。より具体的には、Ｔ字の横ラインに相当する天頂部と、天頂部に接続された縦ラインに相当する軸部とを有する。軸部のうち、導光シート１６と接する第１端部としての入射端面１２ｅは、照射部としての発光部１６ｃから放射された光を入射させる。
【００３２】
天頂部のうちユーザに操作される操作面は、上述のように少なくとも一部が発光するように塗装が施された第２端部としての発光面を構成する。発光面は、第１発光端面１２ａと第２発光端面１２ｂの２つの領域を有する。第１発光端面１２ａは、入射端面１２ｅから入射され軸部の内部を通過した光を主に放射させる領域である。入射端面１２ｅから発光端面１２ａへ至る光路は、光路３０１として図示されるように、第１導光路の一部を形成する。第１導光路は、第１端部から第２端部の発光領域まで照射部の光を導く光路である。
【００３３】
第２発光端面１２ｂは、天頂部と軸部の接続部分の周囲であって、第２発光端面１２ｂとは反対の面の少なくとも一部である入射端面１２ｃから入射された光を主に放射させる領域である。入射端面１２ｃは、回転レバー１３の第１樹脂部１３ｂに設けられた放射端面１３ｅから放射された光を主に入射する。放射端面１３ｅは主に、同じく第１樹脂部１３ｂに設けられた隣接端面１３ｄから入射された光を放射する。隣接端面１３ｄは、中央ボタン１２の軸部に設けられた隣接端面１２ｄに近接して、軸部の光を導光する。すなわち、入射端面１２ｅから発光端面１２ｂへ至る光路は、光路３０２として示されるように、第１導光路の一部を形成する。
【００３４】
入射端面１２ｃは、第２発光端面１２ｂの広がりに応じた凹面形状を成し、放射端面１３ｅから放射される光を効率よく集光して、第２発光端面１２ｂへ導く。また、入射端面１２ｃへ広く放射光が届くように、放射端面１３ｅも、入射端面１２ｃの形状に応じた凸面のレンズ形状を成しても良い。後述するように、回転レバー１３の第１樹脂部１３ｂは第２導光路を構成するが、このように、第１導光路は、第２導光路から放射された光を入射させる光路を含むと言える。
【００３５】
隣接端面１２ｄは、図示するように、中央ボタン１２の軸部中央付近に設けられた段差部における端面である。回転レバー１３に設けられた隣接端面１３ｄは、この隣接端面１２ｄと近接して配置される。なお、隣接端面１２ｄは、軸部の全周にわたって形成されているのではなく、回転レバー発光部１３ａが断面に現われる領域において形成されている。このような構造により、回転レバー発光部１３ａへの導光効率を向上させ、また、中央ボタン１２と回転レバー１３の組み付けを可能にする。具体的には、回転レバー１３の孔部に位相を合わせて中央ボタン１２を挿通し、一定角回転させることにより隣接端面１２ｄと隣接端面１３ｄが近接するように組み付ける。
【００３６】
以上のように、発光部１６ｃから発光面である第１発光端面１２ａおよび第２発光端面１２ｂへ至る様々な導光路を設けることにより、発光面を均一に光らせることができる。特に、軸内を通過する光路３０１により第１発光端面１２ａの輝度が第２発光端面１２ｂよりも大きくなりがちなところ、入射端面１２ｃと放射端面１３ｅの形状の工夫、および周辺部材の透明化により両端面の輝度の均一化を図っている。
【００３７】
図５は、回転レバー発光部１３ａを発光させる光の導光路を説明する図である。発光部１６ｃから回転レバー発光部１３ａへ至る導光路もさまざま設けられているので順次説明する。
【００３８】
上述のように、発光部１６ｃで放射された光の一部は、中央ボタン１２の入射端面１２ｅおよび隣接端面１２ｄを通過し、回転レバー１３の隣接端面１３ｄへ入射する。隣接端面１３ｄは、第１導光路に隣接する第３端部として発光部１６ｃからの光を受け取る。第１樹脂部１３ｂの内部に取り込まれた光は、反射を繰り返して、第４端部としての回転レバー発光部１３ａへ導かれる。隣接端面１３ｄから回転レバー発光部１３ａへ至る光路は、光路３０３として図示されるように、第２導光路の一部を形成する。第２導光路は、照射部としての発光部１６ｃから放射され、第１導光路の一部を通過した光を、第３端部から第４端部の発光領域まで導く光路である。なお、図５においては、放射端面１３ｅで入射光が反射する様子を示すが、図４で示したとおり、入射光の一部は入射端面１２ｃへ向かって透過する。反射と透過の割合は、第１樹脂部１３ｂの材質、放射端面１３ｅのコーティングなどにより調整することができる。
【００３９】
発光部１６ｃから照射された光が回転レバー発光部１３ａへ到達する光路は、光路３０３に限らない。特に第１樹脂部１３ｂに導かれる光路は様々である。例えば、光路３０４に示すように、発光部１６ｃからの照射光を第１樹脂部１３ｂが直接的に受ける場合がある。また、光路３０５に示すように、ブラシ台座１４が受光する場合、光路３０６に示すように、中央ボタン受軸１５が受光する場合、光路３０７に示すように、中央ボタン受軸１５を介して第１樹脂部１３ｂが受光する場合もあり得る。これらの光は、図５に示す断面内で反射するのみではなく、紙面奥行き方向を含めた三次元方向に反射を繰り返して回転レバー発光部１３ａに到達する。なお、中央ボタン１２の第１発光面１２ａと第２発光面１２ｂへ至る光路も、光路３０１と光路３０２に限らず、様々である。
【００４０】
中央ボタン１２、第１樹脂部１３ｂ等の形状および素材、発光部１６ｃの反射ドットの大きさおよび密度等は、発光面が均一に光るように、光学シミュレーションを繰り返して決定される。特に、発光部１６ｃの光が直接的に導かれやすい中央ボタン１２の光透過率を、第１樹脂部１３ｂの光透過率よりも小さくすることが望ましい。すなわち、第１導光路の透過率を、第２導光路の透過率よりも小さくすると良い。例えば、中央ボタン１２の素材を乳白色素材とし、第１樹脂部１３ｂの素材を透明素材とすると良い。
【００４１】
次に、一眼レフカメラ９０における、中央ボタン１２等の発光面を有する操作部材、ＴＦＴ液晶表示部３０およびＳＴＮ液晶表示部４０の輝度制御について説明する。図６は、一眼レフカメラ９０のシステム構成図である。
【００４２】
一眼レフカメラ９０は、システム制御部１１１を備え、一眼レフカメラ９０を構成する各要素を直接的または間接的に制御する。システム制御部１１１は、システムメモリ１１２と通信する。システムメモリ１１２は、電気的に消去・記録可能な不揮発性メモリであり、例えばＥＥＰＲＯＭ（登録商標）等により構成される。システムメモリ１１２は、一眼レフカメラ９０の動作時に必要な定数、変数、設定値、プログラム等を、一眼レフカメラ９０の非動作時にも失われないように記録している。
【００４３】
交換レンズ５０は、主にズームレンズ、フォーカスレンズ、手振れ補正レンズを含むレンズ群５０１、絞り５０２、これらを制御するレンズ制御部５０３により構成される。被写体像は光軸に沿ってレンズ群５０１に入射し、撮像素子１３１の結像面に結像する。
【００４４】
撮像素子１３１は、レンズ群５０１を透過して入射する被写体像である光学像を光電変換する素子であり、例えば、ＣＣＤ、ＣＭＯＳセンサが用いられる。撮像素子１３１で光電変換された被写体像は、Ａ／Ｄ変換器１３２でアナログ信号からデジタル信号に変換される。
【００４５】
デジタル信号に変換された被写体像は、画像データとして順次処理される。Ａ／Ｄ変換器１３２によりデジタル信号に変換された画像データは、メモリ制御部１３３の制御に従い、一旦内部メモリ１３４に記憶される。内部メモリ１３４は、高速で読み書きのできるランダムアクセスメモリであり、例えばＤＲＡＭ、ＳＲＡＭなどが用いられる。内部メモリ１３４は、連写撮影、動画撮影において高速に連続して画像データが生成される場合に、画像処理の順番を待つバッファメモリとしての役割を担う。また、画像処理部１３５が行う画像処理、圧縮処理において、ワークメモリとしての役割も担うと共に、所定の目的に即して加工処理された画像データを一時的に保管する役割も担う。更に、システムメモリ１１２に記録されている定数、変数、設定値、プログラム等が適宜展開されて、一眼レフカメラ９０の制御に利用される。したがって、内部メモリ１３４は、これらの役割を担うに相当する十分なメモリ容量を備える。メモリ制御部１３３は、いかなる作業にどれくらいのメモリ容量を割り当てるかを制御する。
【００４６】
画像処理部１３５は、設定されている撮影モード、ユーザからの指示に則して、画像データを所定の画像フォーマットに従った画像ファイルに変換する。例えば、静止画像としてＪＰＥＧファイルを生成する場合、色変換処理、ガンマ処理、ホワイトバランス処理等の画像処理を行った後に適応離散コサイン変換等を施して圧縮処理を行う。また、動画像としてＭＰＥＧファイルを生成する場合、所定の画素数に縮小されて生成された連続する静止画としてのフレーム画像に対して、フレーム内符号化、フレーム間符号化を施して圧縮処理を行う。
【００４７】
画像処理部１３５によって処理された静止画像ファイル、動画像ファイルは、メモリ制御部１３３の制御により、内部メモリ１３４から記録媒体ＩＦ１３６を介して、記録媒体８０に記録される。記録媒体８０は、フラッシュメモリ等により構成される、一眼レフカメラ９０に対して着脱可能な不揮発性メモリである。
【００４８】
ＴＦＴ液晶表示部３０は、上述の通り、透過型の液晶表示パネルである。ＴＦＴ液晶表示部３０は、ＴＦＴバックライト１３０の点灯を伴って表示内容をユーザに視認させる。ＴＦＴ液晶表示部３０の放光輝度制御は、表示制御部１３７が担う。例えば、画像処理部１３５が生成した逐次表示用画像データを表示制御部１３７がＴＦＴ液晶表示部３０へ出力すれば、スルー画としてのライブビュー表示を実現することができる。ＴＦＴバックライト１３０の制御は、発光制御部１３８が担う。発光制御部１３８は、ＴＦＴバックライト１３０のＯＮ／ＯＦＦ、およびＯＮ時の輝度を制御する。
【００４９】
表示制御部１３７は、表示する画像データに付随する情報、および、システムメモリ１１２に記録されたメニュー画面等も、ＴＦＴ液晶表示部３０に単独で、あるいは表示画像に重畳して表示させることもできる。また、表示制御部１３７は、操作部材１３９の操作により非表示の指示がなされた場合には、ＴＦＴ液晶表示部３０による表示を禁止する。
【００５０】
ＳＴＮ液晶表示部４０は、上述の通り、反射型の表示パネルである。ＳＴＮ液晶表示部４０は、暗所においてはＳＴＮバックライト１４０の点灯により、表示内容をユーザに視認させることができる。ＳＴＮ液晶表示部４０の制御は、システム制御部１１１が担う。システム制御部１１１は、例えばシャッタ速度情報をＳＴＮ液晶表示部４０に表示させる。ＳＴＮバックライト１４０の照明輝度制御は、発光制御部１３８が担う。発光制御部１３８は、ＳＴＮバックライト１４０のＯＮ／ＯＦＦ、およびＯＮ時の輝度を制御する。
【００５１】
一眼レフカメラ９０は、上述の通り、ユーザからの操作を受け付ける操作部材１３９を複数備えている。システム制御部１１１は、これら操作部材１３９が操作されたことを検知し、操作に応じた動作を実行する。また、操作部材１３９の一部である中央ボタン１２、回転レバー発光部１３ａ、発光ボタン２２、２３はそれぞれ発光面を有し、光源としてＬＥＤ２５を備える。発光制御部１３８は、ＬＥＤ２５のＯＮ／ＯＦＦ、およびＯＮ時の発光輝度を制御する。なお、これら発光面を有する操作部材１３９をイルミネーション部材と呼ぶ。
【００５２】
照度センサ２９は、外界の明るさを検出する。発光制御部１３８は、照度センサ２９の検出結果とユーザ操作を取得し、取得結果に応じた輝度制御を実行する。具体的な処理については後述する。
【００５３】
図７は、周辺照度に対する発光輝度制御を説明する図である。図は、照度センサ２９によって取得された周辺照度を横軸に表し、縦軸に、ＬＥＤ２５、ＴＦＴバックライト１３０、ＳＴＮバックライト１４０の制御輝度を表す。ＴＦＴ制御ライン２３０は、ＴＦＴバックライト１３０の輝度制御を表し、ＳＴＮ制御ライン２４０は、ＳＴＮバックライト１４０の輝度制御を表し、ＬＥＤ制御ライン２５０は、ＬＥＤ２５の輝度制御を表す。発光制御部１３８は、ユーザにより発光指示レバー２８によりＯＮの指示を受けた場合に、それぞれの制御ラインに沿った制御を実行する。以下に具体的に説明する。
【００５４】
照度センサによって取得された周辺照度ＳがＳ＞Ｓ１を満たす場合は、発光指示レバー２８によりＯＮの指示を受けた場合であっても、発光制御部１３８は、ＳＴＮバックライト１４０およびＬＥＤ２５を点灯させない。一方、発光制御部１３８は、ＴＦＴバックライト１３０の輝度を最大輝度であるＢ４に設定する。ＴＦＴバックライト１３０の輝度を最大輝度にすることにより、周辺環境が明るくてもＴＦＴ液晶表示部３０の視認性を確保できる。なお、ＴＦＴ液晶表示部３０における表示内容は、ＴＦＴバックライト１３０の点灯を伴ってはじめて視認できる。したがって、何らかの情報がＴＦＴ液晶表示部３０に表示される場合には、発光指示レバー２８の操作の有無に関わらず、発光制御部１３８はＴＦＴバックライト１３０を点灯させる。逆に、ＴＦＴ液晶表示部３０は、定常的に情報を表示しているわけではないので、表示する情報が存在しない場合には、発光指示レバー２８によりＯＮの指示を受けても、ＴＦＴバックライト１３０を点灯させない。
【００５５】
発光制御部１３８は、Ｓ１≧Ｓ＞Ｓ２を満たす場合は、ＳＴＮバックライト１４０を点灯させ、ＬＥＤ２５を点灯しない。この区間においては、周辺照度が暗くなるほど、ＴＦＴバックライト１３０の輝度を漸減させ、ＳＴＮバックライト１４０の輝度を漸増させる。
【００５６】
発光制御部１３８は、Ｓ２≧Ｓを満たす場合は、ＳＴＮバックライト１４０を点灯させ、ＬＥＤ２５も点灯させる。発光制御部１３８は、Ｓ２よりも暗いＳ３までＳＴＮバックライト１４０の輝度を漸増させ、Ｓ３で輝度がＢ３に達したら、Ｓ３よりも暗い場合でもその輝度を維持する。発光制御部１３８は、Ｓ２よりも暗いＳ４までＬＥＤ２５の輝度を漸増させ、Ｓ４で輝度がＢ２に達したら、Ｓ４よりも暗い場合でもその輝度を維持する。発光制御部１３８は、Ｓ２よりも暗いＳ５までＴＦＴバックライト１３０の輝度を漸減させ、Ｓ５で輝度がＢ１に達したら、Ｓ５よりも暗い場合でもその輝度を維持する。
【００５７】
すなわち、発光制御部１３８は、照度センサ２９がＳ１よりも暗い照度を検出した場合にはＬＥＤ２５を発光させると共に、照度センサ２９がＳ１とは異なるＳ２よりも暗い照度を検出した場合にはＳＴＮバックライト１４０を点灯させる。図においては、Ｓ１＞Ｓ２としたが、Ｓ２＞Ｓ１であっても良い。Ｓ１とＳ２の大小関係は、ＳＴＮ液晶表示部４０とイルミネーション部材の周辺照度に対する視認性から決定される。すなわち、それぞれの視認性に合わせて個別に点灯照度が決定される。
【００５８】
また、発光制御部１３８は、一旦点灯した後は、照度センサ２９がより暗い照度を検出するほど、ＬＥＤ２５とＳＴＮバックライト１４０の輝度を漸増させる。図においては、それぞれの最高輝度をＢ２とＢ３に設定しているが、いずれかの輝度に一致させても良い。また、図においては、それぞれの漸増させる増加率を同等にしているが、互いに異ならせても良い。例えばＳ１とＳ２を異ならせたまま、Ｓ３をＳ４に一致させるそれぞれの増加率を採用しても良い。いずれの場合も、具体的な設定値は、ＳＴＮ液晶表示部４０とイルミネーション部材の周辺照度に対する視認性から決定される。
【００５９】
また、上述のように、ＴＦＴ液晶表示部３０は、状況に応じて表示状態であったり、非表示状態であったりする。ＴＦＴ液晶表示部３０が表示状態か非表示状態かにより、ＳＴＮ液晶表示部４０とイルミネーション部材の視認性は異なる。したがって、ＴＦＴ液晶表示部３０が表示状態か非表示状態かにより、ＳＴＮ制御ライン２４０およびＬＥＤ制御ライン２５０の少なくとも一方を変化させても良い。また、メニュー項目により、ＳＴＮ液晶表示部４０およびイルミネーション部材のいずれか一方の発光が禁止されている場合にも、他の制御ラインを変化させても良い。
【００６０】
図８は、輝度制御を説明するフロー図である。フローは、一眼レフカメラ９０の電源がＯＮにされ、ＴＦＴ液晶表示部３０に情報が表示された状態で開始される。
【００６１】
システム制御部１１１は、ステップＳ１０１で、発光指示レバー２８が操作されて発光指示を受けるまで待機する。発光指示を受けたらステップＳ１０２ヘ進み、タイマーｔによる経時を開始させる。そして、システム制御部１１１は、ステップＳ１０３で、照度センサ２９に周辺照度Ｓを取得させ、発光制御部１３８に引き渡す。発光制御部１３８は、ステップＳ１０４で、Ｓ＞Ｓ１を満たすか否かを判断する。満たす場合はステップＳ１０５へ進み、図７を用いて説明したように、ＴＦＴバックライト１３０を点灯し、ＬＥＤ２５とＳＴＮバックライト１４０を点灯させない。
【００６２】
ステップＳ１０４でＳ＞Ｓ１を満たさない場合は、発光制御部１３８は、ステップＳ１０６へ進み、Ｓ＞Ｓ２を満たすか否かを判断する。満たす場合はステップＳ１０７へ進み、図７を用いて説明したように、ＴＦＴバックライト１３０とＳＴＮバックライト１４０を点灯し、ＬＥＤ２５とを点灯させない。
【００６３】
ステップＳ１０６でＳ＞Ｓ２を満たさない場合は、発光制御部１３８は、ステップＳ１０８へ進み、図７を用いて説明したように、ＴＦＴバックライト１３０、ＳＴＮバックライト１４０、ＬＥＤ２５を点灯させる。
【００６４】
いずれの点灯制御を行った場合もステップＳ１０９へ進み、発光制御部１３８は、タイマーｔを参照して、ｔ＝ｔ１の時点で発光指示レバー２８が継続してＯＮにされているか否かをシステム制御部１１１へ問い合わせる。ｔ１は予め設定された操作継続時間である。その結果、継続してＯＮにされている場合は、ステップＳ１１１０へ進み、周辺照度Ｓの結果に拠らず、ＴＦＴバックライト１３０、ＳＴＮバックライト１４０、ＬＥＤ２５を点灯させる。この場合、発光制御部１３８は、少なくともＳＴＮバックライト１４０とＬＥＤ２５については、最高輝度で点灯させる。
【００６５】
そして、発光制御部１３８は、ステップＳ１１１でタイマーｔを参照して、ｔが予め設定された点灯継続時間ｔ２を経過したか否かを判断する。経過していなければ点灯を継続し、経過していたらステップＳ１１２へ進み、ＳＴＮバックライト１４０とＬＥＤ２５を消灯して一連の処理を終了する。
【００６６】
なお、上述の処理においては、発光指示レバー２８が操作継続時間ｔ１の間ＯＮにされ続けていたかにより強制点灯を実行したが、強制点灯を指示する操作態様は、これに限らない。例えば、連続的に２度ＯＮにする操作態様によっても強制点灯を実行し得る。
【００６７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６９】
１０  カメラ本体、１１  カバー、１１ａ  動画アイコン、１１ｂ  静止画アイコン、１１ｃ  貫通孔、１２  中央ボタン、１２ａ  第１発光端面、１２ｂ  第２発光端面、１２ｃ  入射端面、１２ｄ  隣接端面、１２ｅ  入射端面、１３  回転レバー、１３ａ  回転レバー発光部、１３ｂ  第１樹脂部、１３ｃ  第２樹脂部、１３ｄ  隣接端面、１３ｅ  放射端面、１４  ブラシ台座、１５  中央ボタン受軸、１６  導光シート、１６ａ  分離孔、１６ｂ  発光部、１６ｃ  発光部、１７  フレキシブル基板、１７ｂ  回路パターン、１７ｃ  回路パターン、１８  衝撃吸収ゴム、１９  板バネ、２０  ブラシ、２１  ブラシ台座ビス、２２  発光ボタン、２３  発光ボタン、２４  漏光防止シート、２５  ＬＥＤ、２６  ドームスイッチ、２８  発光指示レバー、２９  照度センサ、３０  ＴＦＴ液晶表示部、４０  ＳＴＮ液晶表示部、５０  交換レンズ、８０  記録媒体、９０  一眼レフカメラ、１１１  システム制御部、１１２  システムメモリ、１３０  ＴＦＴバックライト、１３１  撮像素子、１３２  Ａ／Ｄ変換器、１３３  メモリ制御部、１３４  内部メモリ、１３５  画像処理部、１３６  記録媒体ＩＦ、１３７  表示制御部、１３８  発光制御部、１３９  操作部材、１４０  ＳＴＮバックライト、２３０  ＴＦＴ制御ライン、２４０  ＳＴＮ制御ライン、２５０  ＬＥＤ制御ライン、３０１、３０２、３０３、３０４、３０５、３０６、３０７  光路、５０１  レンズ群、５０２  絞り、５０３  レンズ制御部
【図１】
2013134359.tif 000003
【図２】
2013134359.tif 000004
【図３】
2013134359.tif 000005
【図４】
2013134359.tif 000006
【図５】
2013134359.tif 000007
【図６】
2013134359.tif 000008
【図７】
2013134359.tif 000009
【図８】
2013134359.tif 000010